(57)【要約】【課題】操作キーを照らすに照明部の消費電力量の削減を図りコストを低減することができる携帯電子機器を提供する。【解決手段】筐体の表面に配置されたキー操作部６と、キー操作部６の周囲、かつ、キー操作部６より高位置に配置されてキー操作部６を照らす照明部６６（１０ａ，１０ｂ）と、を備える。筐体は、キー操作部６を有する第一筐体２及び第一筐体２に連結された第二筐体３からなり、照明部６６は、第一筐体２と第二筐体３の連結部４に配置される。【選択図】図１
2010154188.tif 000002
【特許請求の範囲】
【請求項１】
筐体の表面に配置されたキー操作部と、
前記キー操作部の周囲、かつ、前記キー操作部より高位置に配置されてキー操作部を照らす照明部と、
を備えることを特徴とする携帯電子機器。
【請求項２】
前記筐体は、前記キー操作部を有する第一筐体及び前記第一筐体に連結された第二筐体からなり、
前記照明部は、前記第一筐体と前記第二筐体の連結部に配置されることを特徴とする請求項１に記載の携帯電子機器。
【請求項３】
前記照明部は、前記第二筐体に配置され、前記第一筐体と前記第二筐体を厚み方向に重ねた際に前記筐体の外側に露出することを特徴とする請求項１又は２に記載の携帯電子機器。
【請求項４】
前記照明部の近傍にカメラが配置されることを特徴とする請求項２又は３に記載の携帯電子機器。
【請求項５】
前記筐体は、前記キー操作部を有す前記第一筐体と、前記第一筐体に連結された第二筐体及び前記第二筐体に連結された第三筐体とからなり、
前記照明部は、前記第三筐体のうち前記キー操作部に臨むことが可能な複数の面に配置されることを特徴とする請求項１に記載の携帯電子機器。
【請求項６】
前記照明部を、前記筐体の開閉動作に応じて点灯または消灯させることを特徴とする請求項１から５のうち何れか一項に記載の携帯電子機器。
【請求項７】
前記照明部を、前記キー操作部の操作に応じて点灯させることを特徴とする請求項１から６のうち何れか一項に記載の携帯電子機器。
【請求項８】
前記筐体は通信部を備え、着信を検出した際に前記照明部を点灯させることを特徴とする請求項１から７のうち何れか一項に記載の携帯電子機器。
【発明の詳細な説明】
【技術分野】
【０００１】
本発明は、携帯電話、電子手帳あるいはデジタルカメラなどの携帯電子機器に関する。
【背景技術】
【０００２】
近年、携帯電話機、ＰＤＡ（Personal Digital Assistant）、電子手帳あるいはデジタルカメラなどの各種携帯電子機器が提案されている。
これらの携帯電子機器は、暗所において使用するときのユーザーによるキー操作を容易にするためにバックライトキー（ＬＥＤなどの発光素子）を備え、操作キーを内側から照明するようになっているもの（例えば特許文献１、特許文献２参照）や、操作キーを外側から照明するようになっているもの（例えば特許文献３参照）が知られている。
【特許文献１】実開平５−６５７４号公報
【特許文献２】特開２００３−３０９６３９号公報
【特許文献３】特開２００２−３５４０９６号広報
【発明の開示】
【発明が解決しようとする課題】
【０００３】
しかしながら、特許文献１及び２のように、筐体の内側からバックライトキーで操作キーを照明するものでは、複数の操作キーの内側にそれぞれバックライトキーを対応させて配置した構成のものでは消費電力量が多くなる問題を有している。加えて、バックライトキーが操作キーの内側（筐体の内部）にそれぞれ配置されるので、筐体の厚みが厚くなる問題を有している。
【０００４】
一方、上記の問題点を解決した特許文献３のように、操作キーを外側から照明する構成として、例えばストレート型の携帯電話機では、表示部とキー操作部との間に段差を形成してその段差部にキー操作部を照らす照明部を設けたものが開示されている。
【０００５】
また、表示部が折り畳み可能なフォルダ型では、表示部の前端に発光素子を設けてこの発光素子から発する照明光を反射面により反射させてキー操作部を照らす構成、並びに表示部の後端に嵌め込んだ導光部材を介してキー操作部を照らす構成のものがそれぞれ開示されている。
【０００６】
しかしながら、段差部に照明部を設けたストレート型の携帯電話機では、照明を考慮した特殊の操作キーで構成されるためコスト高となる問題を有し、フォルダ型では、何れもキー操作部を照らす照明部が、操作キーから離間した表示部の前端または後端に設けられているので、表示部を開いた状態で操作キーを照らす充分な明るさが得られない問題を有していた。
【０００７】
本発明は、上述した事情に鑑みてなされたもので、操作キーを照らすに充分な明るさが得られると共に消費電力量の削減を図りコストを低減することができる携帯電子機器を提供することを目的とする。
【課題を解決するための手段】
【０００８】
本発明に係る携帯電子機器では、上記課題を解決するために以下の手段を採用した。
本発明は、筐体の表面に配置されたキー操作部と、前記キー操作部の周囲、かつ、前記キー操作部より高位置に配置されて前記キー操作部を照らす照明部と、を備えることを特徴とする。
これにより、照明部の数を削減することができるので、消費電力量を低減することができるだけでなく、照明部が操作キーの内側に配置されない構成となるのでキー操作部における筐体の厚みを薄くすることができる。
【０００９】
また、前記筐体が、前記キー操作部を有する第一筐体及び前記第一筐体に連結された第二筐体からなり、前記照明部は、前記第一筐体と前記第二筐体の連結部に配置されることを特徴とする。
これにより、照明部がキー操作部より高位置となる第一筐体と第二筐体の連結部に配置されるので、少ない数の照明部でもキー操作部を広範囲に照らすことができる。
【００１０】
また、前記照明部が、前記第二筐体に配置され、前記第一筐体と前記第二筐体を厚み方向に重ねた際に前記筐体の外側に露出することを特徴とする。
これにより、照明部が第一筐体と第二筐体を厚み方向に重ねた際に、筐体の外側に露出する第二筐体に配置されるので、キー操作部以外に例えば暗所を照らす懐中電灯としても使用することができる。
【００１１】
また、前記照明部の近傍にカメラが配置されることを特徴とする。
これにより、前記照明部の近傍にカメラが配置されるので、撮影距離が近い場合に暗所を照明しながら撮影することができる。加えて、被写体に向けたカメラの方向性を容易に定めることができる。
【００１２】
また、前記筐体が、前記キー操作部を有する第一筐体と、前記第一筐体に連結された第二筐体及び前記第二筐体に連結された第三筐体とからなり、前記照明部は、前記第三筐体のうち前記キー操作部に臨むことが可能な複数の面に配置されることを特徴とする。
これにより、第三筐体のうちキー操作部に臨むことが可能な複数の面に照明部を配置した構成とされるので、例えば第三筐体をキー操作部に対して多様な姿勢で使用した場合でもキー操作部に臨む照明部でキー操作部を照明することができる。
【００１３】
また、前記照明部を、前記筐体の開閉動作に応じて点灯または消灯させることを特徴とする。
これにより、筐体の開閉動作に応じて照明部が点灯または消灯させるように連動するように自動制御されるので、照明部を手動操作する手間を省くことができる。
【００１４】
また、前記照明部を、前記キー操作部の操作に応じて点灯させることを特徴とする。
これにより、照明部をキー操作部の操作時のみ点灯されるようになっているので、消費電力量を節約することができる。
【００１５】
また、前記筐体は通信部を備え、着信を検出した際に前記照明部を点灯させることを特徴とする。
これにより、通信部を介して着信を検出した際に照明部が点灯されるので、着信の確認が容易にできるだけでなく、同時に返信するキー操作時にキー操作部の操作を手早く行うことができる。
【発明の効果】
【００１６】
本発明によれば、照明部の数を削減することができる。また、操作キーを照らすに充分な明るさが確保されるので消費電力量の削減を図りコストを低減することができる。また、キー操作部における筐体の厚みを薄くすることもできる。
【発明を実施するための最良の形態】
【００１７】
以下、本発明の携帯電子機器の実施形態について図を参照して説明する。
図１は、本発明の第一実施形態に係る携帯電話機の斜視図であって、（ａ）は携帯電話機を開いた状態を示す斜視図、（ｂ）は携帯電話機を閉じた状態を示す斜視図である。
【００１８】
携帯電話機１は、例えば強化樹脂材で薄型の平面視略矩形状に形成された第一筐体２と第二筐体３を連結部となるヒンジ部４により互いに回動自在に連結して開閉可能に構成された折り畳み型と称されるものである。
【００１９】
第一筐体２は、図１（ａ）に示すように、その表面に各種の操作キー５を列設したキー操作部６ないし下端部には図示しないマイクないし上端部にはスピーカーが配設されている。また、第二筐体３は、その表面に各種情報を表示する液晶ディスプレイや有機ディスプレイ等の表示部８を備えている。
【００２０】
ヒンジ部４は、第一筐体２の上端に突設した一対の固定ヒンジＨ１，Ｈ１に対し図示しない支軸を介して第二筐体３を回動可能に枢着した可動ヒンジＨ２，Ｈ２とから構成されている。
可動ヒンジＨ２，Ｈ２は第二筐体３の下端に突設しており、第二筐体３の長手方向に延出する可動ヒンジＨ２，Ｈ２の側端部には、一対の照明部となる例えばＬＥＤ発光素子１０ａ，１０ｂが配置されている。
【００２１】
従って、第二筐体３を開くと可動ヒンジＨ２，Ｈ２も協働して同じ方向に回動するので、ＬＥＤ発光素子１０ａ，１０ｂがキー操作部６に指向する。一方、第二筐体３を閉じた場合は、ＬＥＤ発光素子１０ａ，１０ｂが互いに折り畳まれた第一、第二筐体２，３の外側端部から露出する。
【００２２】
また、固定ヒンジＨ１，Ｈ１の中間には、ホルダＲが図示しない支軸に回動可能に保持されており、その側面にはカメラ１２がＬＥＤ発光素子１０ａ，１０ｂと同じ方向に配設される。
そして、カメラ１２の方向は手動により回動可能で微小角度の調整が可能となっており、カメラ１２をＬＥＤ発光素子１０ａ，１０ｂと同様に同じ方向に回動させることができる。
【００２３】
ＬＥＤ発光素子１０ａ，１０ｂは、第一筐体２の側面に配設した操作キー１４の操作により点灯または消灯が可能となっており、カメラ１２も同様に図示しない操作キーの手動操作により撮影可能となっている。
なお、ＬＥＤ発光素子１０ａ，１０ｂの照明は、操作キー１４の手動操作以外にも第二筐体３の開閉動作に連動して点灯または消灯させることもできる。
【００２４】
図２は、図１に示す携帯電話機の電気的な構成の概要を示すブロック図である。
携帯電話機１には、例えば、ＣＰＵ、ＩＣ、メモリ等から構成される制御部６０を備え、この制御部６０には、通信部６１、操作部６、表示部８が接続される。
通信部６１は、携帯電話機１と外部の基地局等との間で無線通信を行うための各種素子によって構成され、通信部６１には、無線送受信を行うためのアンテナ６２が接続される。前述したように、操作部６は、複数の操作キー５から構成され、表示部８は、各種情報を表示する液晶ディスプレイや有機ディスプレイ等によりそれぞれ構成される。
【００２５】
また、制御部６０には、撮像部６４（カメラ１２）、画像処理部６３、音声入出力部６５、照明部６６（ＬＥＤ発光素子１０ａ，１０ｂ）が接続されている。
画像処理部６３は、撮像部６４（カメラ１２）で得られた画像データの鏡像反転処理や歪の補正処理を行うＩＣなどから構成される。これにより、アンテナ６２により通信部６１を介して着信が検出されると、照明部６６（ＬＥＤ発光素子１０ａ，１０ｂ）を自動的に点灯させることができる。
【００２６】
これにより、携帯電話機１は、キー操作部６の周囲に配置されたＬＥＤ発光素子１０ａ，１０ｂによりキー操作部６を照らすことができるので、操作キー５の内側（第一筐体２内部）にキー操作部６を照らすＬＥＤ発光素子を配置する必要がなくなる。そして、ＬＥＤ発光素子１０ａ，１０ｂが操作キー５の内側に配置されない構成となるので、第一筐体２の厚みを薄くすることができ、また製造コストを低減することができる。
【００２７】
また、第一、第二筐体２，３を開いた状態で、それらの上面から突設した可動ヒンジＨ２，Ｈ２の側端部にＬＥＤ発光素子１０ａ，１０ｂをキー操作部６に指向する配置されているので、限られた数のＬＥＤ発光素子１０ａ，１０ｂでもキー操作部６を広範囲に照らすことができる。したがって、ＬＥＤ発光素子１０ａ，１０ｂの数を必要最低限に抑えられるので、消費電力量を低減することができる。
【００２８】
さらに、第二筐体３を閉じた場合は、ＬＥＤ発光素子１０ａ，１０ｂが折り畳まれた第一、第二筐体２，３の外側端部から露出するので、ＬＥＤ発光素子１０ａ，１０ｂを暗所を照らす懐中電灯としても使用することができる。
【００２９】
また、カメラ１２とＬＥＤ発光素子１０ａ，１０ｂと同じ方向に指向させることで、被写体を照明しながらカメラ１２の撮影を行うことができる。
【００３０】
図３は、本発明の第二実施形態に係る携帯電話機の斜視図であって、（ａ）は携帯電話機を開いた状態を示す斜視図、（ｂ）は携帯電話機を閉じた状態を示す斜視図である。
なお、前述した構成と同一構成部分については同一符号を付しその説明を省略する。
【００３１】
携帯電話機２０は、キー操作部６を有する第一筐体２２と、第一筐体２２にヒンジ部４を介して回動可能に枢着された単尺長さの第二筐体２４と、第二筐体２４の上面に接触した状態で回動自在に連結された第三筐体２３とから構成されたサイクロイド型と称されるものである。
【００３２】
第三筐体２３は、その表面に液晶ディスプレイや有機ディスプレイ等の表示部８を備えた薄型の平面視略矩形状に形成されており、片側の長辺ないし短辺の側端縁にそれぞれ照明部となるＬＥＤ発光素子２５ａ，２５ｂないし２６ａ，２６ｂが配置されている。
【００３３】
図３（ａ）に示すように、第一筐体２２の上面に第二筐体２４を重ねて閉じた状態から第二筐体２４を開くと、第三筐体２３は第二筐体２４の上面に縦型に保持された状態となり、第三筐体２３の短辺側に配置されたＬＥＤ発光素子２５ａ，２５ｂは、キー操作部６に指向する。
【００３４】
次いで、第二筐体２４を開いた状態において、第三筐体２３を第二筐体２４に対して例えば時計周りに直角に回動すると、第三筐体２３の長辺側に配置されたＬＥＤ発光素子２６ａ，２６ｂがキー操作部６に指向する。
【００３５】
第二実施形態によれば、第三筐体２３のうちキー操作部６に臨むことが可能な複数の側面のＬＥＤ発光素子２５ａ，２５ｂ，２６ａ，２６ｂを配置した構成となっているので、第三筐体２３をキー操作部６に対して多様な姿勢で使用する場合でもキー操作部６に臨むＬＥＤ発光素子２５ａ，２５ｂ，２６ａ，２６ｂによりキー操作部６を照明することができる。
【００３６】
図４は、第三実施形態に係る携帯電話機であって、（ａ）は携帯電話機を開いた状態を示す斜視図、（ｂ）は携帯電話機を閉じた状態を示す斜視図である。
なお、前述した構成と同一構成部分については同一符号を付しその説明を省略する。
【００３７】
携帯電話機３０は、キー操作部６を有する第一筐体３２と、第一筐体３２の上面に長手方向にスライド可能に保持された第二筐体３３とから構成されたスライド型と称されるものである。
【００３８】
第二筐体３３は、薄型矩形状に形成されてその表面に各種情報を表示する液晶ディスプレイ等の表示部８を備え、短辺側の後端縁には一対のＬＥＤ発光素子３５ａ，３５ｂが配設され、ＬＥＤ発光素子３５ａ，３５ｂの中間部にもカメラ１２が配設されている。
【００３９】
図４（ａ）に示すように、第二筐体３３を前方にスライドして第一筐体３２上面のキー操作部６の全面を露呈した状態とすることで、ＬＥＤ発光素子３５ａ，３５ｂがキー操作部６に指向する。
【００４０】
そして、第一筐体３２と第二筐体３３が重なった状態（閉状態）から第二筐体３３をスライドさせる（開状態）と、ＬＥＤ発光素子３５ａ，３５ｂが発光して、キー操作部６が照明される。
また、第二筐体３３をスライドさせて携帯電話機３０を閉じた状態で、第一筐体３２の側端縁の操作キー１４を作動操作すると、ＬＥＤ発光素子３５ａ，３５ｂが発光して暗所を照らす懐中電灯としても使用することができる。
【００４１】
図５は、第四実施形態に係る携帯電話機であって、（ａ）は携帯電話機の斜視図、（ｂ）は携帯電話機の側面図である。
【００４２】
携帯電話機４０は、一体型の筐体として構成されるストレート型と称されるもので、キー操作部６を設けた厚みの薄い操作部筐体４２と、この操作部筐体４２に対し厚みの厚い表示部８を設けた表示部筐体４３とから構成され、表示部筐体４３と操作部筐体４２の間には垂直壁面で段差部４４が形成されている。
【００４３】
段差部４４には、一対のＬＥＤ発光素子４５ａ，４５ｂが配設されて、キー操作部６に指向するようになっている。そして、操作部筐体４２の側面に設けた操作キー１４の操作によりＬＥＤ発光素子４５ａ，４５ｂを点灯または消灯することができる。
【００４４】
図６は、第五実施形態に係る携帯電話機であって、（ａ）は携帯電話機を開いた状態を示す斜視図、（ｂ）は携帯電話機を閉じた状態を示す斜視図である。
【００４５】
携帯電話機５０は、第一筐体５２と第二筐体５３をヒンジ部４により互いに回動自在に連結して開閉可能に構成された折り畳み型の変形例である。
【００４６】
第一筐体５２には、その表面に各種の操作キー５を列設したキー操作部６が、下端部には図示しないマイクが配設されている。
さらに、第一筐体５２の後端部上面には、内側に第二筐体５３の厚みと略同等厚みの垂直壁部Ｅ１を形成した横長のホルダー部５４が突設しており、この垂直壁部Ｅ１には一対のＬＥＤ発光素子５５ａ，５５ｂが配設されてキー操作部６に指向している。
【００４７】
図６（ａ）に示すように、第二筐体５３を開いた際に、ＬＥＤ発光素子５５ａ，５５ｂを発光させることで、キー操作部６を照らすことができる。
【００４８】
そして、図６（ｂ）に示すように、第二筐体５３を閉じた状態では、第二筐体５３の先端縁Ｅ２は、第一筐体５２の後端に突設したホルダー部５４の垂直壁部Ｅ１の直前で対面するように構成されている。
【００４９】
以上説明したように、本実施形態に係る携帯電話機１，２０，３０，４０，５０、６０は、キー操作部の周囲に配置された照明部により広く照明されるため操作するのに充分な明るさが確保されることから、照明部の数が削減される。その結果、消費電力量が削減されるのでコストを低減することができる。加えてキー操作部における筐体の厚みを薄くすることもできる。
【００５０】
前述した実施の形態で示した各構成部材の諸形状や組み合わせ等は一例であって、本発明の主旨から逸脱しない範囲において設計要求等に基づき種々変更可能である。
【００５１】
例えば、前述した形態以外の携帯電話機として、第一筐体の表面上で第二筐体を回動するリボルバー型や、矩形状に構成された折り畳み型として長辺部に第一筐体と第二筐体を連結するヒンジ部を設けた構成のものにも適用することが可能である。すなわち、リボルバー型では第二筐体の側端縁に照明部を配置し、折り畳み型ではヒンジ部に照明部を設けた構成とすれば良い。
【図面の簡単な説明】
【００５２】
【図１】本発明の第一実施形態に係る携帯電子機器の概略構成を示す図である。
【図２】本発明の第一実施形態に係る携帯電子機器の電気的な構成の概要を示すブロック図である。
【図３】本発明の第二実施形態に係る携帯電子機器の概略構成を示す図である。
【図４】本発明の第三実施形態に係る携帯電子機器の概略構成を示す図である。
【図５】本発明の第四実施形態に係る携帯電子機器の概略構成を示す図である。
【図６】本発明の第五実施形態に係る携帯電子機器の概略構成を示す図である。
【符号の説明】
【００５３】
１…携帯電話機（携帯電子機器）、  ２…第一筐体、  ３…第二筐体、  ４…ヒンジ部（連結部）、  ６…キー操作部、  １０ａ，１０ｂ…ＬＥＤ発光素子（照明部）、  １２…カメラ、  ２０…携帯電話機、  ２２…第一筐体、  ２３…第三筐体、  ２４…第二筐体、  ２５ａ，２５ｂ，２６ａ，２６ｂ…ＬＥＤ発光素子（照明部）、  ３０…携帯電話機、  ３２…第一筐体、  ３３…第二筐体、  ３５ａ，３５ｂ…ＬＥＤ発光素子（照明部）、  ４０…携帯電話機、  ４２…操作部筐体、  ４３…表示部筐体、  ４４・・・段差部、  ４５ａ，４５ｂ…ＬＥＤ発光素子（照明部）、  ５０…携帯電話機、  ５２…第一筐体、  ５３…第二筐体、  ５５ａ，５５ｂ…ＬＥＤ発光素子、  ６０…制御部、  ６１…通信部
【図１】
2010154188.tif 000003
【図２】
2010154188.tif 000004
【図３】
2010154188.tif 000005
【図４】
2010154188.tif 000006
【図５】
2010154188.tif 000007
【図６】
2010154188.tif 000008